(57)【要約】      （修正有）【課題】副箱体、中央フレーム構造及び主箱体を備える両面開きのスーツケースを提供する。【解決手段】中央フレーム構造の両側は、それぞれ副箱体の開口及び主箱体の開口と一致し、主箱体は、前記中央フレーム構造の一側に回転可能に設ける。前記副箱体は、前記中央フレーム構造のもう一側に回転可能に設け、中央フレーム構造によって副箱体及び主箱体を支持し、それらを中央フレーム構造の両側に回転可能に設ける。【選択図】図１
0003224935.tif 000002
【実用新案登録請求の範囲】
【請求項１】
副箱体、中央フレーム構造、及び主箱体を備える両面開きのスーツケースであって、
前記中央フレーム構造の両側は、それぞれ副箱体の開口及び主箱体の開口と一致し、
前記主箱体は、前記中央フレーム構造の一側に回転可能に設け、
前記副箱体は、前記中央フレーム構造のもう一側に回転可能に設けることを特徴とする、両面開きのスーツケース。
【請求項２】
前記副箱体と前記中央フレーム構造の間にそれらをロックする第１ロックを設け、
前記第１ロックを解除すると、前記副箱体が前記中央フレーム構造に対して回転して開いて、
前記副箱体と前記中央フレーム構造の間に、前記中央フレーム構造に対して前記副箱体が外側に開く角度を制限するための位置制限装置をさらに設けることを特徴とする、請求項１に記載の両面開きのスーツケース。
【請求項３】
前記位置制限装置によって、前記中央フレーム構造に対して前記副箱体が外側に開く角度を３０°以上に制限することを特徴とする、請求項２に記載の両面開きのスーツケース。
【請求項４】
前記位置制限装置が制振構造であり、
前記副箱体と前記中央フレーム構造の一側をシャフトによって接続され、
前記副箱体及び中央フレーム構造にそれぞれ接続筒部を設け、
前記接続筒部は、前記シャフトに套設され、前記制振構造によって外側に特定の角度で開くことを特徴とする、請求項２に記載の両面開きのスーツケース。
【請求項５】
前記位置制限装置が制振ヒンジであり、
前記副箱体と前記中央フレーム構造の一側を前記制振ヒンジによって回転接続されることを特徴とする、請求項２に記載の両面開きのスーツケース。
【請求項６】
前記位置制限装置は、複数の係合部を有する中間接続部、及び第１接続部を備え、
前記中間接続部は、副箱体及び中央部のいずれか１つの側面又は底面に設け、
前記第１接続部は、副箱体及び中央部のもう１つの対応位置に設け、
前記第１接続部は、それぞれ係合装置であり、
係合装置を移動して異なる係合部に係合することで、副箱体と中間部の開く角度を変更することを特徴とする、請求項２に記載の両面開きのスーツケース。
【請求項７】
前記中央フレーム構造と前記主箱体の間にそれらをロックする第２ロックを設け、
前記第２ロックを解除すると、前記中央フレーム構造が前記主箱体に対して回転して開くことを特徴とする、請求項１に記載の両面開きのスーツケース。
【請求項８】
前記中央フレーム構造は、ハードフレームを備え、
前記フレームは、コ字型フレーム、前記副箱体と密封接続するための前接続フレーム、及び前記主箱体と密封接続するための後接続フレームを有し、
前記前接続フレームは、前記コ字型フレームの前端に固定接続され、
前記後接続フレームは、前記コ字型フレームの後端に固定接続されることを特徴とする、請求項１に記載の両面開きのスーツケース。
【請求項９】
前記コ字型フレームにおける前記前接続フレームより一端にシールリングに嵌め込むための前凹溝を設け、
前記コ字型フレームにおける前記後接続フレームより一端にシールリングに嵌め込むための後凹溝を設けることを特徴とする、請求項８に記載の両面開きのスーツケース。
【請求項１０】
前記中央フレーム構造は、フレーム内に設ける中層をさらに備え、
前記中層によって前記副箱体及び前記主箱体を２つの独立空間に分けることを特徴とする、請求項８に記載の両面開きのスーツケース。
【請求項１１】
前記主箱体は、前記中央フレーム構造の一側に横方向に回転可能に設け、
前記副箱体は、前記中央フレーム構造のもう一側に縦方向に回転可能に設けることを特徴とする、請求項１に記載の両面開きのスーツケース。
【考案の詳細な説明】
【技術分野】
【０００１】
本実用新案は、スーツケースの技術分野、特に両面開きのスーツケースに関する。
【背景技術】
【０００２】
スーツケースは、旅行の必需品であり、品物や旅具を収納できる。スーツケースの全体的な構造設計のために、よく使われる物もスーツケースの内部に入れなければならないので、何時でも取ることができない。
【考案の概要】
【０００３】
本出願は、副箱体、中央フレーム構造、及び主箱体を備える両面開きのスーツケースを提供する。前記中央フレーム構造の両側は、それぞれ副箱体の開口及び主箱体の開口と一致する。また、前記主箱体は、前記中央フレーム構造の一側に回転可能に設ける。前記副箱体は、前記中央フレーム構造のもう一側に回転可能に設ける。
【０００４】
１つの実施例において、前記副箱体と前記中央フレーム構造の間にそれらをロックする第１ロックを設ける。前記第１ロックを解除すると、前記副箱体が前記中央フレーム構造に対して回転して開く。前記副箱体と前記中央フレーム構造の間に、前記副箱体が前記中央フレーム構造に対して外側に開く角度を制限するための位置制限装置をさらに設ける。
１つの実施例において、前記位置制限装置によって前記中央フレーム構造に対して前記副箱体が外側に開く角度は、３０°以上になるように制限する。
【０００５】
１つの実施例において、前記位置制限装置は制振構造であり、前記副箱体と前記中央フレーム構造の一側をシャフトによって接続される。前記副箱体及び中央フレーム構造にそれぞれ接続筒部を設ける。接続筒部は、前記シャフトに套設され、前記制振構造によって外側に特定の角度で開く。
【０００６】
１つの実施例において、前記位置制限装置は制振ヒンジであり、前記副箱体と前記中央フレーム構造の一側を前記制振ヒンジによって回転接続される。
【０００７】
１つの実施例において、前記位置制限装置は、複数の係合部を有する中間接続部、及び第１接続部を備える。中間接続部は、副箱体及び中央部のいずれか１つの側面又は底面に設ける。第１接続部は、副箱体及び中央部のもう１つの対応位置に設け、それぞれ係合装置である。係合装置を移動して異なる係合部に係合することで、副箱体と中間部の開く角度を変更できる。
【０００８】
１つの実施例において、前記中央フレーム構造と前記主箱体の間にそれらをロックする第２ロックを設ける。前記第２ロックを解除すると、前記中央フレーム構造が前記主箱体に対して回転して開く。
【０００９】
１つの実施例において、前記中央フレーム構造は、ハードフレームを備える。前記フレームは、コ字型フレーム、前記副箱体と密封接続するための前接続フレーム、及び前記主箱体と密封接続するための後接続フレームを有する。前記前接続フレームは、前記コ字型フレームの前端に固定接続される。前記後接続フレームは、前記コ字型フレームの後端に固定接続される。
【００１０】
１つの実施例において、前記コ字型フレームにおける前接続フレームより一端にシールリングに嵌め込むための前凹溝を設ける。前記コ字型フレームにおける前記後接続フレームより一端にシールリングに嵌め込むための後凹溝を設ける。
【００１１】
１つの実施例において、前記中央フレーム構造は、フレーム内に設ける中層をさらに備える。前記中層によって前記副箱体及び前記主箱体を２つの独立空間に分ける。
【００１２】
１つの実施例において、前記主箱体は、前記中央フレーム構造の一側に横方向に回転可能に設ける。前記副箱体は、前記中央フレーム構造のもう一側に縦方向に回転可能に設ける。
【００１３】
本実用新案において、上記技術的な特徴によれば、従来技術と比べて下記利点及び効果を有する。
１  本実用新案の両面開きのスーツケースは、中央フレーム構造によって副箱体及び主箱体を支持し、それらを中央フレーム構造の両側に回転可能に設ける。よって、構造上簡単で、主箱体及び副箱体全体の開閉が容易であり、操作が便利である。
２  本実用新案の両面開きのスーツケースは、位置制限装置によって、副箱体と中央フレーム構造の間に特定の角度を開く。また、中央フレーム構造と主箱体の間を開く。よって、スーツケースの両面開き機能を実現できる。副箱体と中央フレーム構造の間の収納部内に物を収納する場合、使用者は、第１ロックを解除することで、副箱体を外側に特定の角度で開けて、物を容易に取ることができる。
従来のスーツケースと比べると、本出願の両面開きのスーツケースの副箱体の設計によって、使用性を大幅に向上し、使用機能を拡大する。
【図面の簡単な説明】
【００１４】
【図１】本案の両面開きのスーツケースを示す側面図である。
【図２】本案の両面開きのスーツケースを示す立体概略図である。
【図３】中央フレーム構造と主箱体を開く状態を示す概略図である。
【図４】本案の両面開きのスーツケースを示す断面図である。
【図５】図３の一部拡大図である。
【図６】位置制限装置の変形実施形態１を示す図である。
【図７】位置制限装置の変形実施形態２を示す図である。
【考案を実施するための形態】
【００１５】
以下、具体的な実施形態及び図面を開示しながら本実用新案を詳しく説明する。
【００１６】
外出する時には色々な生活用品又は事務用品を備えなければならない。一般的に、それらの用品をスーツケースに収納するか、又は一部をスーツケースに収納して一部をバックパック又はボディバッグに収納する。スーツケースに収納した場合、物を取りたい時、スーツケース全体を開けなければならない。このため、何時でも事務用品を取り出せないこととなっている。バッグに収納した場合、持つバッグが多いため、旅行者の負担となる。
【００１７】
このような外出時の不便さに対して、本案は、両面開きのスーツケースを提供する。旅行者は、必要に応じて物を副箱体及び中央フレーム構造の間に収納することで、負担を軽減できる。物を取りたい場合には、第１ロックを解除して、副箱体と中央フレーム構造の間の開いた所に手を入れて品物を取りだす。
【００１８】
図１〜図４に示すように、本案の両面開きのスーツケースは、副箱体１、中央フレーム構造２、及び主箱体３を備える。中央フレーム構造２の両側は、それぞれ副箱体１の開口及び主箱体３の開口と一致する。また、主箱体３は、中央フレーム構造２の一側に回転可能に設ける。副箱体１は、中央フレーム構造のもう一側に回転可能に設ける。
【００１９】
本実用新案の両面開きのスーツケースは、中央フレーム構造によって副箱体及び主箱体を支持し、それらを中央フレーム構造の両側に回転可能に設ける。構造上簡単で、主箱体及び副箱体全体の開閉が容易であり、操作が便利である。
【００２０】
本実施例において、副箱体１と中央フレーム構造２の間にそれらをロックする第１ロックを設ける。即ち、第１ロックによって副箱体１と中央フレーム構造２とを互いにロックする。中央フレーム構造２と主箱体３の間にそれらをロックする第２ロックを設ける。即ち、第２ロックによって中央フレーム構造２と主箱体３とを互いにロックする。第１ロックを解除すると、副箱体１が中央フレーム構造２に対して回転して外側に開く。第２ロックを解除すると、主箱体３が中央フレーム構造２に対して回転して外側に開く。
【００２１】
本実施例において、第１ロック及び第２ロックは、プッシュロックであってもよい。また、第１ロック及び第２ロックは、その他の副箱体１と中央フレーム構造２を互いにロックする構造、及び中央フレーム構造２と主箱体３を互いにロックする構造であってもよい。
本実施例において、副箱体１と中央フレーム構造２の間に、中央フレーム構造２に対して副箱体１が外側に開く角度を制限するための位置制限装置４をさらに設ける。
【００２２】
本実用新案の両面開きのスーツケースは、位置制限装置４によって、副箱体と中央フレーム構造の間に特定の角度を開く。また、中央フレーム構造と主箱体の間を開く。よって、スーツケースの両面開き機能を実現できる。副箱体と中央フレーム構造の間の収納部内に物を入れた場合、使用者は、第１ロックを解除することで、副箱体を外側に特定の角度で開けて、物を容易に取ることができる。従来のスーツケースと比べると、本出願の両面開きのスーツケースの副箱体の設計によって、使用性を大幅に向上し、使用機能を拡大する。
なお、本実施例において、位置制限装置４によって、中央フレーム構造２に対して副箱体２が外側に開く角度を３０°以上に制限するが、それらに限定されるものではない。その他の実施例において、副箱体２の具体的な開く角度を必要に応じて調整できる。
【００２３】
本実施例において、図２に示すように、位置制限装置４はヒンジである。その他の実施例において、位置制限装置４はオルガン構造であってもよい。また、位置制限装置４は、位置制限機能及び弾性機能を共に有する。即ち、第１ロックを解除すると、副箱体１が位置制限装置４によって外側に飛び出して位置制限角度まで開く。
【００２４】
以下、例として位置制限装置のその他の実施形態を説明する。
【００２５】
例えば、図６に示すように、位置制限装置４が制振構造であり、副箱体１と前記中央フレーム構造２の一側をシャフトによって接続される。図６に示すように、副箱体１及び中央フレーム構造２にそれぞれ接続筒部９、１０を設ける。接続筒部９、１０は、前記シャフト１１に套設され、制振構造によって外側に特定の角度で開く。制振構造として色んな実施形態を利用でき、例えば、接続筒部に制振機能を有する材料の層を覆着してもよい。
例えば、位置制限装置４が制振ヒンジであり、且つ副箱体１と中央フレーム構造２の一側を制振ヒンジによって回転接続する。
【００２６】
例えば、図７に示すように、第１ロックは、複数の係合部を有する中間接続部１２、及び第１接続部１３を備える。中間接続部１２は、副箱体及び中央部のいずれか１つの側面又は底面に設ける。第１接続部は、副箱体及び中央部のもう１つの対応位置に設ける。係合装置を第１接続部として利用できる。係合装置を移動して中間接続部１２の異なる係合部に係合することで、副箱体と中間部の開く角度を変更できる。
【００２７】
本実用新案において、主箱体３、副箱体１は、それぞれ中央フレーム構造２の両側に横方向及び縦方向に回転できるように設けるが、それらに限定されていない。その他の実施例において、副箱体１に対して主箱体３、中央フレーム構造２の回転方向を必要に応じて調整できる。
【００２８】
本実施例において、中央フレーム構造２はハードフレームを備える。フレームは、主箱体３の箱口及び副箱体１の箱口に対応する長方形となるが、それらに限定されていない。その他の実施例において、フレームの形状及び大きさを主箱体３の箱口及び副箱体１の箱口の形状及び大きさに応じて調整できる。具体的には、アルミニウム合金、プラスチック等の材料を利用してフレーム２０１を製造できるが、それらに限定されていない。フレームの材料としては、一定の硬度を有するものであればよい。
【００２９】
図５に示すように、本実施例の両面開きのスーツケースの構造上の強度及び薄さを向上するために、本実施例において、中央フレーム構造２は、コ字型フレーム２１、副箱体１と密封接続するための前接続フレーム２２、及び主箱体３と密封接続するための後接続フレーム２３を有する。前接続フレーム２２は、コ字型フレーム２１の前端に固定接続される。後接続フレーム２３は、コ字型フレーム２１の後端に固定接続される。好ましくは、コ字型フレーム２１、前接続フレーム２２及び後接続フレーム２３は一体的な構造であり、前接続フレーム２２及び後接続フレーム２３がコ字型フレーム２１に対してミラー対称となる。それらの素材は、いずれもアルミニウムである。
【００３０】
さらに、コ字型のフレーム２１における前接続フレーム２２より一端にシールリングに嵌め込むための前凹溝２１１を設ける。コ字型のフレーム２１における後接続フレーム２３より一端にシールリングに嵌め込むための後凹溝２１２を設ける。シールリングを前凹溝２１１及び後凹溝２１２に嵌め込むことで、中央フレーム構造２の密封を実現できる。
【００３１】
本実施例において、中央フレーム構造２は、フレーム内に設ける中層をさらに備える。前記中層によって副箱体３及び主箱体１を分けて、主箱体３と中央フレーム構造２の間に独立空間を形成する。
【００３２】
具体的には、中層は、フレームの形状及び大きさに対応する長方形となり、その四辺がそれぞれフレームの内側壁に接続されるが、それらに限定されていない。その他の実施例において、中層の具体的な形状をフレームに応じて調整できる。具体的には、中層は布層等であってもよい。
【００３３】
さらに、中層の両側及び副箱体１の内表面に物を分類、収容する収容部を設ける。それによって、使用者は旅行の品物を分類して両面開きのスーツケース内に収納できる。
【００３４】
本実施例において、両面開きのスーツケースは、一対の前キャスター５、一対の前キャスターブラケット６、一対の後キャスター７、及び一対の後キャスターブラケット８を備える。前キャスター５は、前キャスターブラケット６によって副箱体１に接続される。後キャスター７は、後キャスターブラケット８によって主箱体３に接続される。前キャスターブラケット６及び後キャスターブラケット８内にリベット固定部を設ける。前キャスターブラケット６と副箱体１が、リベットによって固定接続される。後キャスターブラケット８と主箱体３がリベットによって固定接続される。
【００３５】
さらに、前キャスターブラケット６及び後キャスターブラケット８の固定強度を向上するために、本実施例において、リベット固定部の周辺に補強リブを設ける。
【００３６】
出張する旅行者を例として本実施例の両面開きのスーツケースの使用形態を説明する。旅行者は、洋服、タオル等の生活用品を主箱体３内に収納して、文書資料及びＩＰＡＤ等の事務用品を中央フレーム構造２の外表面の収容部内又は副箱体１の内表面の収容部内に収納する。このようにすると、外出する時に、両面開きのスーツケースだけを持っていけばよく、ブリーフケース又は斜め掛けブリーフケースを持って歩く必要がない。よって、旅行者の負担を軽減できる。事務用品を取りたい場合、第１ロックを解除して副箱体１を外側に開き、副箱体１と中央フレーム構造２の間の開いた所に手を入れると容易に取ることができる。従来のスーツケースと比べると、外出の時に物を取る不便さを解消できる。
【００３７】
本実用新案を理解するために具体的な実施形態を挙げて説明したが、本実用新案は、それらに制限されていない。当業者は、本実用新案の精神に基づいて変化、改良及び置換をなされることができる。
【符号の説明】
【００３８】
１  副箱体
２  中央フレーム構造
３  主箱体
４  位置制限装置
５  前キャスター
６  前キャスターブラケット
７  後キャスター
８  後キャスターブラケット
９、１０  接続筒部
１１  シャフト
１２  中間接続部
１３  第１接続部
２１  コ字型フレーム
２２  前接続フレーム
２３  後接続フレーム
２１１  前凹溝
２１２  後凹溝
【図１】
0003224935.tif 000003
【図２】
0003224935.tif 000004
【図３】
0003224935.tif 000005
【図４】
0003224935.tif 000006
【図５】
0003224935.tif 000007
【図６】
0003224935.tif 000008
【図７】
0003224935.tif 000009